(57)【要約】【課題】  ロール紙を補充したとき、ロール紙ホルダーに残っている前のロール紙の芯部材をその場で外部から見えない状態で一時保管する。【解決手段】  ロール紙１０をはさんで両側に配置され内側面を対向配置した一対の保持部材１２１、１２１、保持部材の内側面から内方水平方向に突出しロール紙の紙管の側開口に挿入状態となりロール紙を前記保持部材間に支持する保持位置、ならびに保持部材の内壁に沿って配置されてロール紙の芯部が取り出し可能な取り外し位置、に回動可能な一対の保持突起１２２、１２２、および保持部材を保持位置にむけて付勢する付勢手段、を備える保持部１２０と、保持部の下方に配置され、保持突起に支持された状態から押し出されて保持突起から外れて落下する芯部材の落下位置に配置され、芯部材が通過できる大きさの開口部１３１、および開口部からの芯部材を複数収納できる格納室１３２を備えた回収箱１３０とを備える。【選択図】  図６
2014033922.tif 000002
【特許請求の範囲】
【請求項１】
ロール紙をはさんで両側に配置され内側面を対向配置した一対の保持部材、
この保持部材の内側面から内方水平方向に突出し前記ロール紙の芯部材の両側開口に挿入状態となり前記ロール紙を前記保持部材間に支持する保持位置、ならびに前記保持部材の内壁に沿って配置されて前記ロール紙の芯部が取り出し可能な取り外し位置、に回動可能な一対の保持突起、
および前記保持部材を前記保持位置にむけて付勢する付勢手段、
を備える保持部と、
前記保持部の下方に配置され、前記保持突起に支持された状態から押し出されて前記保持突起から外れて落下する芯部材の落下位置に配置され、前記芯部材が通過できる大きさの開口部、および前記開口部からの前記芯部材を複数収納できる格納室を備えた回収箱と、
を備えることを特徴とするロール紙ホルダー。
【請求項２】
前記一対の保持突起は、前記保持位置と前記取り外し位置との間を移動するとき、前記一対の保持突起の回動中心を結ぶ線分を含む水平面に対して０°を越える所定の角度をなして手前側にむけ下がる平面に沿って回動することを特徴とする請求項１に記載のロール紙ホルダー。
【請求項３】
前記格納室は、前記芯部材を前後方向に複数列、高さ方向に複数段収納でき、
さらに前記格納室の底部には手前側に行くにつれて下る傾斜底面を形成することを特徴とする請求項１または請求項２に記載のロール紙ホルダー。
【請求項４】
前記格納室の前記開口部の手前側に、奥側に行くにつれて昇るよう配置され前記保持部材の間に挿入されるロール紙が案内される案内面を備えることを特徴とする請求項１から請求項３のいずれか一項に記載のロール紙ホルダー。
【請求項５】
前記保持部と、前記回収箱は建造物の壁面に取り付ける板状の基板に取り付けられて、前記回収箱は、前記基板から取り外しができることを特徴とする請求項１から請求項４のいずれか一項に記載のロール紙ホルダー。
【請求項６】
前記一対の保持突起が沿って回動する平面は、前記鉛直面に対して６０°をなし、前記案内面は、水平面に対して４５°をなすことを特徴とする請求項１から請求項５のいずれか一項に記載のロール紙ホルダー。
【請求項７】
前記保持部には、この保持部の間に保持した前記ロール紙の上側を開閉可能に覆うとともに、その端部でロール紙から引き出したペーパーを切り取るカッター部を備えるカバー部材を備えることを特徴とする請求項１から請求項６のいずれか一項に記載のロール紙ホルダー。
【発明の詳細な説明】
【技術分野】
【０００１】
本発明は、ロール紙ホルダーに係り、特に、下側前方から挿入されたロール紙を自動的に保持すると共に使用済みの芯を除去、収納することができるロール紙ホルダーに関する。
【背景技術】
【０００２】
従来より、ロール紙ホルダーにロール紙、例えばトイレットペーパーを容易に装着できることが要望されている。そして、このようなロール紙ホルダーとして、さまざまな構造のものが提案されている。
【０００３】
特許文献１には、壁部に取り付けるための取付手段を有する保持具本体と、この保持具本体の両側に設けてある保持腕部と、この保持腕部の内側に設けてある保持装置と、トイレットペーパーを切断する切断具と、を備え、上記保持装置は、実質的に水平方向から垂直方向の範囲で回動する保持部材と、この保持部材に一端部が固定してある可撓性を有する中継具と、この中継具に作用して、常態においては上記保持部材を水平状態になるように付勢する引っ張りバネとを備え、保持部材が上下方向に可動するタイプのトイレットペーパーホルダーが開示されている。
【０００４】
このように保持部材が上下方向に可動するように構成されたタイプのトイレットペーパーホルダーにあっては、トイレットペーパーを交換する場合には、ホルダー下方からトイレットペーパーを保持部材間にはめ込み、トイレットペーパーを押し込んだ場合には、トイレットペーパーの両側部が保持部材を上方へ押し上げて回動させ、芯部材である紙管が保持部材に対応する位置にくると、押し上げ力が解除されて保持部材が水平状態に戻り、紙管の内側に入る。これにより、トイレットペーパーは保持部材で保持される。
【０００５】
【特許文献１】実開平０７−３６８９２公報
【発明の開示】
【発明が解決しようとする課題】
【０００６】
このような従来のロール紙ホルダーにあっては、ロール紙を補充するために、下方から新たなロール紙を挿入した際には、残っていた紙管は、新たなロール紙に押されることにより保持装置での保持が解除されて上方へ押し出され、カバー部材を押し上げた後に下方へ落下するか、又は、ロール紙とカバー部材との間に挟まれた状態となることから、紙管を手で掴み、ゴミ箱に捨てる必要がある。
また、一般に使用されているロール紙ホルダーにあっては、保持部材が前後方向に可動してロール紙を保持するように構成されたものもある。このようなロール紙ホルダーにおいて、ロール紙を交換する際には、まず、一方の手でカバー部材を開いて保持し、他方の手で新たなロール紙を保持部材に係合させるべくホルダー前方から挿入する。この場合、このようなタイプのホルダーにあっては、紙管が後方へ移動できるスペースがないことから、予め紙管を除去した上で新たなロール紙をロール紙ホルダーに挿入する必要がある。
【０００７】
上記ように、いずれのタイプにあっても、紙管はその都度、廃棄処理しなければならないことから、処理は煩雑で、なおざりにされることがあり、紙管がロール紙ホルダーの周辺に落下し、放置されることもある。
【０００８】
また、この紙管を処理するに際しては、紙管は水に溶けないため、下水に流すことはできないし、トイレにごみ箱を設置していないと、他の場所に配置してあるごみ箱に捨てることになり、面倒である。また、このようなごみ箱に捨てる面倒をきらい、その場に放置するケースも多い。さらに、この紙管をリビングルーム等のごみ箱に捨てたままにして、外側から視認できる状態とすることは、好ましいことではない。特に清潔を志向する人にとっては不愉快なことである。
【０００９】
本発明は上述した課題にかんがみてなされたものであり、ロール紙を補充したとき、ロール紙ホルダーに残っている前のロール紙の芯部材が使用者の目に付くこともなくかつ手で掴み捨てる必要もなく、その場で外部から見えない状態で一時保管できるロール紙ホルダーを提供することを目的とする。
【課題を解決するための手段】
【００１０】
前記課題を解決する請求項１に記載の発明は、ロール紙をはさんで両側に配置され内側面を対向配置した一対の保持部材、この保持部材の内側面から内方水平方向に突出し前記ロール紙の芯部材の両側開口に挿入状態となり前記ロール紙を前記保持部材間に支持する保持位置、ならびに前記保持部材の内壁に沿って配置されて前記ロール紙の芯部が取り出し可能な取り外し位置、に回動可能な一対の保持突起を備える保持部と、前記保持部の下方に配置され、前記保持突起に支持された状態から押し出されて前記保持突起から外れて落下する芯部材の落下位置に配置され、前記芯部材が通過できる大きさの開口部、および前記開口部からの前記芯部材を複数収納できる格納室を備えた回収箱と、を備えることを特徴とする。
本発明によれば、ロール紙の補充を容易に行うことができる他、ロール紙を補充したときロール紙ホルダーに残っている前のロール紙の芯部材は補充されたロール紙に押されて保持部から格納室の開口に落下して収納でき、複数のロール紙の芯部材をその場で外部から見えない状態で一時保管できる。
【００１１】
同じく請求項２に記載の発明は、請求項１に記載のロール紙ホルダーにおいて、前記一対の保持突起は、前記保持位置と前記取り外し位置との間を移動するとき、前記一対の保持突起の回動中心を結ぶ線分を含む水平面に対して０°を越える所定の角度をなして手前側にむけ下がる平面に沿って回動することを特徴とする。
本発明によれば、ロール紙を前方の下側から斜め上にむけて押しつけることで、保持突起は回動する。そして、ロール紙の交換時、残された芯部材は、新たなロール紙で置側斜め上方に押し出され、回収箱の開口部にむけ落下して格納室に自動的に収納される。
【００１２】
同じく請求項３に記載の発明は、請求項１または請求項２に記載のロール紙ホルダーにおいて、前記格納室は、前記芯部材を前後方向に複数列、高さ方向に複数段収納でき、さらに前記格納室の底部には手前側に行くにつれて下る傾斜底面を備えることを特徴とする。
本発明によれば、多数の芯部材を格納することができる他、芯部材は、最初の芯部材は、傾斜底面で前方に移動し、次の芯部材はその後側に配置される。この芯部材の移動は各列および各段において行われるので、複数の芯部材を格納室に整然と収納できる。
【００１３】
同じく請求項４に記載の発明は、請求項１から請求項３のいずれか一項に記載のロール紙ホルダーにおいて、前記格納室の前記開口部の手前側に、奥側に行くにつれて昇るよう配置され前記保持部材の間に挿入されるロール紙が案内される案内面を備えることを特徴とする。
本発明によれば、ロール紙を補充するに際して、ロール紙は案内面に沿って下側から奥側斜め上方にむけ保持部まで案内されるので、ロール紙の補充を容易に行うことができる。
【００１４】
同じく請求項５に記載の発明は、請求項１から請求項４までのいずれか一項に記載のロール紙ホルダーにおいて、前記保持部と、前記回収箱は建造物の壁面に取り付ける板状の基板に取り付けられて、前記回収箱は、前記基板から取り外しができることを特徴とする。
本発明によれば、回収箱に収納した芯部材を回収箱ごと所定の場所に運び、その場所で芯部材を取り出し、処分することができる。
【００１５】
同じく請求項６に記載の発明は、請求項１から請求項５のいずれか一項に記載のロール紙ホルダーにおいて、前記一対の保持突起が沿って回動する平面は、前記鉛直面に対して６０°をなし、前記案内面は、水平面に対して４５°をなすことを特徴とする。
本発明によれば、ロール紙を補充するに際して、ロール紙は４５°をなす案内面に沿って下側から奥側斜め上方にむけ保持部まで案内されるので、ロール紙の補充を容易に行うことができるとともに、ロール紙を下側から奥側斜め上方にむけ保持部まで動かすと保持突起は水平面と６０°をなす平面に沿って回動するので、ロール紙の補充を円滑に行うことができる。
【００１６】
同じく請求項７に記載の発明は、請求項１から請求項６までのいずれか一項に記載のロール紙ホルダーにおいて、前記保持部には、この保持部の間に保持した前記ロール紙の上側を開閉可能に覆うとともに、その端部でロール紙から引き出したペーパーを切り取るカッター部を備えるカバー部材を備えることを特徴とする。
本発明によれば、ロール紙の汚れを防止できる他、用紙を所望の長さで容易に切断することができる。
【発明の効果】
【００１７】
本発明に係るロール紙ホルダーによれば、ロール紙を補充したとき、ロール紙ホルダーに残っている前のロール紙の芯部材は補充されたロール紙に押されて保持部から格納室の開口に落下して収納でき、複数のロール紙の芯部材をその場で外部から見えない状態で一時保管できる。その結果、ワンアクションで新ロール紙の補充及び使い切ったロール紙の芯部材の除去、収納を行うことができる。
【図面の簡単な説明】
【００１８】
【図１】実施形態に係るロール紙ホルダーにロール紙を保持した状態を示す斜視図である。
【図２】同ロール紙ホルダーのカバー部材を開けた状態を示す斜視図である。
【図３】同ロール紙ホルダーのロール紙の補充状態を示す斜視図である。
【図４】同ロール紙ホルダーのロール紙の補充状態を示す別の角度からの斜視図である。
【図５】同ロール紙ホルダーの回収箱への紙管の収容状態を示す斜視図である。
【図６】同ロール紙ホルダーにおける紙管の落下収納状態を示す図１中のＡ−Ａ線に相当する断面模式図である。
【発明を実施するための最良の形態】
【００１９】
本発明を実施するための形態に係るロール紙ホルダーについて説明する。この実施形態では、ロール紙としてトイレットペーパーを例とする。ロール紙１０は、芯部材である紙管１１の周囲に長尺の用紙１２を巻き付けて構成される。なお、ロール紙としては、トイレットペーパーに限らず、他のロール紙を対象とすることができる。
【００２０】
図１は実施形態に係るロール紙ホルダーにロール紙を保持した状態を示す斜視図、図２は同ロール紙ホルダーのカバー部材を開けた状態を示す斜視図、図３は同ロール紙ホルダーのロール紙の補充状態を示す斜視図である。また、図４は同ロール紙ホルダーのロール紙の補充状態を示す別の角度からの斜視図、図５は同ロール紙ホルダーの回収箱への紙管の収容状態を示す斜視図、図６は同ロール紙ホルダーにおける紙管の落下収納状態を示す図１中のＡ−Ａ線に相当する断面模式図である。
【００２１】
ロール紙ホルダー１００は、ロール紙ホルダー１００が配置されるトイレの壁等に取り付ける平板状の基板１１０と、この基板１１０の表面に配置され、ロール紙１０を取り付ける保持部１２０と、基板１１０の表面であって保持部１２０の下方に配置され、ロール紙１０の紙管１１を複数収納できる回収箱１３０とを備えている。保持部１２０は、基板１１０に取り外せない状態で固定されている。また、回収箱１３０は、内部に格納した紙管１１を排出するため、基板１１０に取り外し可能に取り付けられている。
【００２２】
まず保持部１２０について説明する。保持部１２０は、合成樹脂製の成型部材で構成される。保持部１２０は、ロール紙１０をはさんで内側面を対向配置した一対の保持部材１２１、１２１と、保持部材１２１、１２１が固定される背板部２００とを備える。保持部材１２１、１２１は、板状の部材であり、内側面１２１ａ、１２１ａが対向配置されて、ロール紙１０をはさむよう平行に配置される。この保持部材１２１の内側面１２１ａ、１２１ａには、この内側面１２１ａから内側に突出し、ロール紙１０の紙管１１の両側開口に挿入され、ロール紙１０を回転可能に保持する一対の保持突起１２２、１２２を配置する。
上記保持部材１２１、１２１は、上記保持突起１２２、１２２のロール紙１０を保持した場合に、ロール紙１０の後方側において背板部２００との間に、ロール紙１０が配置され、その後、紙管１１が下方に落下しうる空隙Ｄを有する長さ寸法に形成されている。
【００２３】
保持突起１２２、１２２は、棒状の部材であり、保持位置（図３参照）と、取り外し位置（図４参照）と、の間を移動するよう保持部材１２１、１２１に配置される。このため、保持突起１２２、１２２は、保持部材１２１、１２１に基部（図示せず）を軸中心として回動できるよう取り付けられている。
【００２４】
保持位置では、保持突起１２２、１２２は、内側に略水平状態で張り出し、ロール紙１０を保持部材１２１、１２１間に支持する（図３参照）。すなわち保持位置では保持突起１２２、１２２は、ロール紙１０の紙管１１の両側開口から内方に入り込み、ロール紙１０を回転可能に支持する。この状態でロール紙１０は使用可能な状態となる。
【００２５】
一方、取り外し位置では、保持突起１２２、１２２は、基部を軸中心として上方へ回動して保持部材１２１、１２１の内壁に沿って配置され、ロール紙１０の紙管１１が取り出し可能な状態となる（図４参照）。この状態で、ロール紙１０あるいは、紙管１１は、保持部１２０から取り外せる状態となる。また、この保持突起１２２、１２２と保持部材１２１、１２１との間には、保持部材１２１を常時保持位置にむけて付勢する付勢手段（図示していない）を備える。
【００２６】
保持突起１２２、１２２は、保持部材１２１、１２１に対して、奥側斜め上方にむけ回動できるように取り付けている。保持部材１２１、１２１の内側には、夫々、回動した保持突起１２２、１２２を収納してロール紙１０の挿入の妨げにならないよう収納する側面長方形状の凹部１２６、１２６を形成する。また、保持突起１２２、１２２は、図６に示すように、保持突起１２２、１２２の基部どうしを結ぶ線分を含む水平面Ｈ１に対して６０°をなす平面Ｂに沿って回動する。
この構成により、図６に示すように、ロール紙１０の補充に際して、ロール紙１０の挿入を前方から斜め上方にむけ行え、保持突起１２２、１２２に残っている紙管１１を奥向き斜め上方に円滑に押し出すことができる。なお、この角度は６０°に限らず、必要に応じて他の角度とすることができる。
【００２７】
また、保持部材１２１、１２１の上方には、保持部材１２１、１２１の間に配置されたロール紙１０の上側を覆いロール紙１０の汚れを防止するとともに、カッターとして使用できるカバー部材１２３を備える。カバー部材１２３は、保持部材１２１、１２１に回動自在に配置されている。カバー部材１２３は、ロール紙１０の上方に配置される平板部１２４と、平板部１２４の前縁から前方下側にむけ延びるように配置され、前縁が用紙切断用のカッター部として使用される延設部１２５とから構成される。
従って、上記構成により、ロール紙１０を補充する際には、保持突起１２２、１２２が前後方向に回動する従来のホルダーとは異なり、カバー部材１２３を一方の手で保持しつつロール紙１０を保持突起１２２、１２２に装着する必要がなく、ロール紙１０を斜め下方から挿入した場合には、自動的にカバー部材１２３も斜め下方から押し上げられ、別途、カバー部材１２３を他方の手で保持しておく必要はない。
また、
従って、ロール紙１０の交換及び残った芯部材としての紙管１１の除去をワンアクションで行うことができる。
【００２８】
次に回収箱１３０について説明する。回収箱１３０は、合成樹脂製の箱状の成型部材であり、図１、図２および図６に示すように、保持部材１２１の下方位置において基板１１０に取り付けられる。回収箱１３０は、基板１１０から取り外せるよう磁石１３４（図６参照）を介して基板１１０に取り付けられる。磁石１３４は、回収箱１３０に接着され、基板１１０に設けた鉄板（図示していない）に吸着することにより、回収箱１３０を基板１１０に取り外し可能に固定する。なお、図中符号１３６は基板１１０に取り付けられ、基板１１０と回収箱１３０の間に配置され、回収箱１３０の取り付け姿勢を調整するスペーサーを示している。
【００２９】
回収箱１３０は、底壁１４１、左右の側壁１４２、１４３、前壁１４４、奥壁１４５、および案内面である斜壁１４６を備えて箱状に構成されている。斜壁１４６と、奥壁１４５との間に開口部１３１を形成する。斜壁１４６はロール紙１０の案内面をなし、図６に示すように、水平面Ｈ２に対して４５°の角度で手前側にむけ下がる面をなすよう構成する。これにより、補充するロール紙１０を保持部１２０の保持突起１２２、１２２にむけ案内できる。なお、この斜壁１４６が水平面Ｈ２となす角度は、必要に応じて他の角度とすることができる。
【００３０】
また、底壁１４１、側壁１４２、１４３、前壁１４４、斜壁１４６の間に複数、この例では６つの紙管１１を収納できる格納室１３２を形成する。開口部１３１の底部には、前方に行くに従って下向きの傾斜面を形成する傾斜底板１３５を配置する。
【００３１】
開口部１３１は、保持突起１２２に支持された状態から押し出されて前記保持突起から外れて落下する紙管１１の落下位置に形成する。また、開口部１３１は、前記芯部材が通過できる大きさを備える。このため、図６中矢印Ｃに示すように、保持突起１２２、１２２に保持された紙管１１は、ロール紙１０により押されてロール紙１０の奥側の空隙Ｄに至り、その後下方へ落下し、紙管１１は、開口部１３１から格納室１３２に入り、格納室１３２内に収納される。
【００３２】
格納室１３２は、図５および図６に示すように、前後方向に２つの紙管１１を並べて配置できる奥行き寸法、および上下方向に紙管１１を３段重ねることができる高さ寸法を備える。このため、格納室１３２には、図５に示すように６個の紙管１１を格納することができる。なお、格納室１３２の大きさは、必要に応じて大きくすることができ、所定の列数、所定の段数に紙管１１を収納するものとすることができる。
【００３３】
また、格納室１３２の底部には、傾斜底板１３５を配置しているので、落下してきた最初の紙管１１は、格納室１３２の前側に転がり手前側に配置され、次の紙管１１は後方に配置される。その上段においても紙管１１は同様に配置され、図５および図６に示すように、６本の紙管１１は、順次格納室１３２内に整然と配置される。
【００３４】
そして、格納室１３２に紙管１１がたまった状態で、回収箱１３０を基板１１０から取り外して所定の箇所まで運び、収納された紙管１１を処分する。そして、空になった回収箱１３０を基板１１０に取り付ける。これにより回収箱１３０に紙管１１を収納できる状態となる。
【００３５】
以上説明したように、本発明に係るロール紙ホルダー１００によれば、ロール紙１０を補充したとき、ロール紙ホルダー１００に残っている前の紙管１１は補充されたロール紙１０に押されて保持部１２０から格納室１３２の開口部１３１に落下して収納され、最大６個の紙管１１を外部から見えない状態でその場で一時保管できる。
【符号の説明】
【００３６】
１０：ロール紙
１１：紙管（芯部材）
１２：用紙
１００：ロール紙ホルダー
１１０：基板
１２０：保持部
１２１、１２１：保持部材
１２２、１２２：保持突起
１２３：カバー部材
１２４：平板部
１２６、１２６：凹部
１３０：回収箱
１３１：開口部
１３２：格納室
１３４：磁石
１３５：傾斜底板
１４１：底壁
１４２、１４３：側壁
１４４：前壁
１４５：奥壁
１４６：斜壁
２００  背板部
【図１】
2014033922.tif 000003
【図２】
2014033922.tif 000004
【図３】
2014033922.tif 000005
【図４】
2014033922.tif 000006
【図５】
2014033922.tif 000007
【図６】
2014033922.tif 000008
【手続補正書】
【提出日】平成25年4月2日(2013.4.2)
【手続補正１】
【補正対象書類名】特許請求の範囲
【補正対象項目名】請求項１
【補正方法】変更
【補正の内容】
【請求項１】
ロール紙をはさんで両側に配置され内側面を対向配置した一対の保持部材と、この保持部材の内側面から内方水平方向に突出し前記ロール紙の芯部材の両側開口に挿入状態となり前記ロール紙を前記保持部材間に支持する保持位置ならびに前記保持部材の内壁に沿って配置されて前記ロール紙の芯部が取り出し可能な取り外し位置、に回動可能な一対の保持突起と、前記保持部材を前記保持位置にむけて付勢する付勢手段とを備える保持部と、前記保持部の下方に配置され、前記保持突起に支持された状態から押し出されて前記保持突起から外れて落下する芯部材の落下位置に配置され、前記芯部材が通過できる大きさの開口部、および前記開口部からの前記芯部材を複数収納できる格納室を備えた回収箱とを備えることを特徴とするロール紙ホルダー。
【手続補正２】
【補正対象書類名】明細書
【補正対象項目名】００２７
【補正方法】変更
【補正の内容】
【００２７】
また、保持部材１２１、１２１の上方には、保持部材１２１、１２１の間に配置されたロール紙１０の上側を覆いロール紙１０の汚れを防止するとともに、カッターとして使用できるカバー部材１２３を備える。カバー部材１２３は、保持部材１２１、１２１に回動自在に配置されている。カバー部材１２３は、ロール紙１０の上方に配置される平板部１２４と、平板部１２４の前縁から前方下側にむけ延びるように配置され、前縁が用紙切断用のカッター部として使用される延設部１２５とから構成される。従って、上記構成により、ロール紙１０を補充する際には、保持突起１２２、１２２が前後方向に回動する従来のホルダーとは異なり、カバー部材１２３を一方の手で保持しつつロール紙１０を保持突起１２２、１２２に装着する必要がなく、ロール紙１０を斜め下方から挿入した場合には、自動的にカバー部材１２３も斜め下方から押し上げられ、別途、カバー部材１２３を他方の手で保持しておく必要はない。従って、ロール紙１０の交換及び残った芯部材としての紙管１１の除去をワンアクションで行うことができる。